(57)【要約】【課題】ホログラムの各タッチ操作部材像に対するタッチ操作を的確に検出しつつ、タッチ操作部材像の個数に比してタッチパネルの複雑化及び広大化を抑制することができるタッチパネル式操作装置を提供する。【解決手段】タッチパネル式操作装置１０は、ホログラムフィルム１６と、ホログラムフィルム１６に重ね合わされたシート状タッチパネル１７と、ホログラムフィルム１６に対し波長又は方向の異なる複数の再生参照光を照射するように配備された３色ＬＥＤ１２ａ，１２ｂ，１２ｃとを備える。ホログラムフィルム１６は、照射された再生参照光の波長又は方向に対応付けられているタッチ操作用再生像がタッチパネル１７に重なって又はタッチパネル１７上に再生されるように、複数のタッチ操作用再生像が記録されている。【選択図】図１
2013186737.tif 000002
【特許請求の範囲】
【請求項１】
ホログラムフィルムと、
前記ホログラムフィルムに重ね合わされるタッチパネルと、
前記ホログラムフィルムに対し波長又は方向の異なる複数の再生参照光を照射するように配備された単一又は複数の光源とを備え、
前記ホログラムフィルムには、照射された再生参照光の波長又は方向に対応付けられているタッチ操作用再生像が前記タッチパネルに重なって又は前記タッチパネル上に再生されるように、複数のタッチ操作用再生像が記録されていることを特徴とするタッチパネル式操作装置。
【請求項２】
積層された複数のホログラムフィルムから成るフィルム積層体と、
前記フィルム積層体に重ね合わされるタッチパネルと、
前記フィルム積層体に対し波長又は方向の異なる複数の再生参照光を照射するように配備された単一又は複数の光源とを備え、
各ホログラムフィルムには、対応する波長又は方向の再生参照光が照射されたときに、前記タッチパネルに重なって又は前記タッチパネル上に再生される単一のタッチ操作用再生像が記録されていることを特徴とするタッチパネル式操作装置。
【請求項３】
請求項１又は２のタッチパネル式操作装置において、
各タッチ操作用再生像に像として含まれるタッチ操作部材は単一とされ、
前記タッチパネルは、タッチ部位に関係なくタッチの有無のみを検出することを特徴とするタッチパネル式操作装置。
【請求項４】
請求項３のタッチパネル式操作装置において、
前記タッチパネルがタッチされるごとに点灯させる光源又は波長を、前記タッチパネル式操作装置が装備される機器の作動シーケンスの進行に従って順番に切替えていく光源制御部を備えることを特徴とするタッチパネル式操作装置。
【発明の詳細な説明】
【技術分野】
【０００１】
本発明は、ホログラムを利用したタッチパネル式操作装置に関する。
【背景技術】
【０００２】
ホログラム利用の従来のタッチパネル式操作装置では、タッチパネルと操作部材の再生像が記録されたホログラムフィルムとが積層され、再生参照光がホログラムフィルムに照射されると、複数のタッチ操作部材像を含む単一の再生像が再生されるとともに、再生像のどのタッチ操作部材像に対するタッチ操作であるかを判別するために、タッチパネルがタッチ部位を検出するようになっている（例：特許文献１及び２）。
【先行技術文献】
【特許文献】
【０００３】
【特許文献１】特開平９−２２２９５４号公報
【特許文献２】特開２００２−５５６３０号公報
【発明の概要】
【発明が解決しようとする課題】
【０００４】
従来のホログラム利用のタッチパネル式操作装置では、複数のタッチ操作部材像を含む再生像が１つしか再生されないか（特許文献１の図４）、複数の再生像が再生されても、各再生像におけるタッチ操作部材像は離れた位置となっているかしているので（特許文献２の図３）、表示されるタッチ操作部材像の個数に比して、タッチパネルが検出しなければならないタッチ部位の個数が増大している。これは、タッチパネルの構造を複雑化させるとともに、所定数のタッチ操作部材像の再生を確保するために必要なタッチパネルの面積を増大化させる原因になっている。
【０００５】
本発明の目的は、ホログラムの各タッチ操作部材像に対するタッチ操作を的確に検出しつつ、タッチ操作部材像の個数に比してタッチパネルの複雑化及び広大化を抑制することができるタッチパネル式操作装置を提供することである。
【課題を解決するための手段】
【０００６】
第１発明のタッチパネル式操作装置は、ホログラムフィルムと、前記ホログラムフィルムに重ね合わされるタッチパネルと、前記ホログラムフィルムに対し波長又は方向の異なる複数の再生参照光を照射するように配備された単一又は複数の光源とを備え、前記ホログラムフィルムには、照射された再生参照光の波長又は方向に対応付けられているタッチ操作用再生像が前記タッチパネルに重なって又は前記タッチパネル上に再生されるように、複数のタッチ操作用再生像が記録されていることを特徴とする。
【０００７】
第１発明によれば、ホログラムは光源から再生参照光を照射されると、該再生参照光の波長又は方向に対応付けられている単一のタッチ操作用再生像がタッチパネルに重なって又はタッチパネル上に再生されるので、複数のタッチ操作用再生像に対してタッチパネルが共通化される。この結果、ホログラムの各タッチ操作部材像に対するタッチ操作を的確に検出しつつ、タッチ操作部材像の個数に比してタッチパネルの複雑化及び広大化を抑制することができる。
【０００８】
第２発明のタッチパネル式操作装置は、積層された複数のホログラムフィルムから成るフィルム積層体と、前記フィルム積層体に重ね合わされるタッチパネルと、前記フィルム積層体に対し波長又は方向の異なる複数の再生参照光を照射するように配備された単一又は複数の光源とを備え、各ホログラムフィルムには、対応する波長又は方向の再生参照光が照射されたときに、前記タッチパネルに重なって又は前記タッチパネル上に再生される単一のタッチ操作用再生像が記録されていることを特徴とする。
【０００９】
第２発明によれば、複数のホログラムが積層されたフィルム積層体は、光源から再生参照光を照射されると、該再生参照光の波長又は方向に対応付けられているホログラムに記録されている単一のタッチ操作用再生像がタッチパネルに重なって又はタッチパネル上に再生されるので、複数のタッチ操作用再生像に対してタッチパネルが共通化される。この結果、ホログラムの各タッチ操作部材像に対するタッチ操作を的確に検出しつつ、タッチ操作部材像の個数に比してタッチパネルの複雑化及び広大化を抑制することができる。
【００１０】
第３発明のタッチパネル式操作装置は、第１又は第２発明において、各タッチ操作用再生像に像として含まれるタッチ操作部材は単一とされ、前記タッチパネルは、タッチ部位に関係なくタッチの有無のみを検出することを特徴とする。
【００１１】
第３発明によれば、タッチパネルは、タッチ部位を検出することなく、タッチの有無のみを検出すれば足りるので、タッチパネルの構造が簡単化される。
【００１２】
第４発明のタッチパネル式操作装置は、第３発明において、前記タッチパネルがタッチされるごとに点灯させる光源又は波長を、前記タッチパネル式操作装置が装備される機器の作動シーケンスの進行に従って順番に切替えていく光源制御部を備えることを特徴とする。
【００１３】
第４発明によれば、光源制御部が、タッチパネルへのタッチごとに点灯させる光源又は波長を、タッチパネル式操作装置が装備される機器の作動シーケンスに従って順番に切替えていくことにより、タッチ操作部材像の１つずつの再生にもかかわらず、支障なく該機器の作動シーケンスを実行することができる。
【図面の簡単な説明】
【００１４】
【図１】ドラム式洗濯機の正面図。
【図２】ドラム式洗濯機の側面図。
【図３】貼着体の積層構造図。
【図４】貼着体の斜視図。
【図５】別の貼着体の積層構造図。
【図６】光源制御部関連の接続図。
【図７】ホログラム作製装置の構成図。
【図８】文字盤の具体例を示す図。
【図９】図８の各文字盤に対応する再生像を示す図。
【図１０】光源制御部によるタッチ操作用再生像制御のフローチャート。
【図１１】図３の貼着体の変形例としてホログラムフィルムと矩形のシート状タッチパネルとがそれぞれ曲面隔壁の内面側及び外面側に貼着された構造を示す図。
【発明を実施するための形態】
【００１５】
図１及び図２において、ドラム式洗濯機１は筺体２と円形の開閉扉３とを備える。円形の開閉扉３は、筺体２の前面に形成され洗濯物を筺体２内のドラム（図示せず）へ出し入れするために設けられた出し入れ口（図示せず）を開閉するものであり、例えば左側の端部においてほぼ鉛直方向の軸線の回りに回動自在に筺体２に枢支されている。開閉扉３は、外側に凸の無色透明の曲面隔壁４と、曲面隔壁４の周部に装着されるシール枠部５とを有する。
【００１６】
タッチパネル式操作装置１０は、曲面隔壁４の外面（表面）に固着されたシート状の単一の貼着体１１と、シール枠部５の内面（裏面）側に取り付けられる３つの３色ＬＥＤ１２ａ，１２ｂ，１２ｃと、３色ＬＥＤ１２ａ，１２ｂ，１２ｃの発光を制御する光源制御部１３とを有している。貼着体１１は、曲面隔壁４の外面側において左右方向のほぼ中心でかつ斜め上向きの部位に固着されており、後述の再生像の非再生時では、無色透明となっている。曲面隔壁４における貼着体１１の部位は、ユーザが曲面隔壁４を介して筺体２のドラム内を覗く時の視線上に位置する。
【００１７】
シール枠部５の裏面側における３色ＬＥＤ１２ａ，１２ｂ，１２ｃの取付位置は、貼着体１１の中心の法線回りの回転角で９０°ずつの角度間隔になっている。各３色ＬＥＤ１２ａ，１２ｂ，１２ｃは、その取付位置において曲面隔壁４の外面側の貼着体１１の方へ向けて取り付けられており、青（波長４８８ｎｍ）、緑（波長５１４ｎｍ）及び赤（波長６４７ｎｍ）の３つの光を出射する３つのＬＥＤ（ Light Emitting Diode：発光ダイオード）から成る。３色ＬＥＤ１２ａ，１２ｂ，１２ｃの発光色の青、緑及び赤は、後述のレーザ光源３０（図７）の発光色に一致させている。光源制御部１３は、各３色ＬＥＤ１２ａ，１２ｂ，１２ｃの各ＬＥＤへ個別に駆動電流を供給することより、計９個のＬＥＤの中から１つを選択して、発光させる。
【００１８】
図３及び図４において、貼着体１１は、形状及び寸法を相互に揃えられて積層された単一の矩形のホログラムフィルム１６と矩形のシート状タッチパネル１７とから成り、ホログラムフィルム１６の裏面が曲面隔壁４の外面に固着した状態で配置される。なお、シート状タッチパネル１７を曲面隔壁４側に配置すると、ドラム式洗濯機１のユーザがシート状タッチパネル１７をタッチする際、ホログラムフィルム１６を介してタッチすることになって、ホログラムフィルム１６が変形して、再生像の文字が歪む可能性があるので、貼着体１１のように、ホログラムフィルム１６を曲面隔壁４側に配置することが好ましい。
【００１９】
ホログラムフィルム１６及びシート状タッチパネル１７は共に十分な可撓性を有するので、貼着体１１は、曲面隔壁４の曲面に合わせて変形して、該曲面に支障なく貼着される。シート状タッチパネル１７は常時、無色透明であり、ホログラムフィルム１６は参照光が入射していない期間は無色透明である。シート状タッチパネル１７は光源制御部１３（図１）へ検出信号を送るために、無色透明の配線（図示せず）が曲面隔壁４の外面に沿って固着されている。シート状タッチパネル１７は抵抗式や静電容量式のものを採用することができる。
【００２０】
シート状タッチパネル１７は、タッチ部位に関係なく、タッチの有無のみを検出するようになっており、どの部位がタッチされたかは検出しない。したがって、シート状タッチパネル１７は、１つの透明スイッチの機能を有していれば十分であり、検出構造が簡単化される。
【００２１】
このような検出構造の具体例としては、２つの透明基板が、対峙側に透明導電膜を被覆されるとともに、透明スペーサにより間に所定寸法の空隙を開けて、相互に平行に配置され、非タッチ時では、透明導電膜は非接触状態であり、タッチ時では、一方の透明基板が透明スペーサの部位を除くタッチ部位において弾性変形して、両透明基板の透明導電膜が相互に接触する構造とされる。
【００２２】
貼着体１１のホログラムフィルム１６は、その現像前の状態では、１枚で青、緑及び赤の３色に感光できるフォトポリマーフィルムが採用されているが、青、緑又は赤の１色のみに感光するフォトポリマーフィルムが使用されてもよい。図５の貼着体２０は、青、緑又は赤の１色のみに対応するフォトポリマーフィルムを使用する貼着体２０の、厚さ方向に沿う断面図である。
【００２３】
貼着体２０は、図４の貼着体１１におけるホログラムフィルム１６に代えて、積層された３つのホログラムフィルム２１を有している。３つのホログラムフィルム２１はそれぞれ青、緑及び赤のみに感光するフォトポリマーフィルムとなっている。貼着体１１のホログラムフィルム１６及び貼着体２０のホログラムフィルム２１は、複数回の露光に対して各再生像が記録可能となっているので、作製時の参照光の向きが異なれば、許容露光回数以下の条件付きで、同一波長の参照光に対して参照光の向きの数だけ再生像を焼き付けることができる。
【００２４】
図６は光源制御部１３の入出力を示している。洗濯機制御部２３は、ドラム式洗濯機１に装備され、ドラム式洗濯機１の本体の制御（例：ドラムの回転及び停止、給排水弁の開閉並びに衣類乾燥用ヒータの作動等）を実施する。光源制御部１３と洗濯機制御部２３とは相互に所定の制御情報を授受している。光源制御部１３は、シート状タッチパネル１７からの検知信号と洗濯機制御部２３からの制御情報とに基づいて３色ＬＥＤ１２ａ，１２ｂ，１２ｃを制御する。各３色ＬＥＤ１２ａ，１２ｂ，１２ｃは青、緑及び赤の３つのＬＥＤを装備するので、光源制御部１３は計９つのＬＥＤについてその駆動を個々に制御することになる。
【００２５】
図７は貼着体１１のホログラムフィルム１６を作製するホログラム作製装置２５の構成図である。ホログラム作製装置２５は、二光束干渉法によりホログラムフィルム（いわゆる体積ホログラム）としてホログラムフィルム１６を作製する。貼着体１１のホログラムフィルム１６は、未現像フィルム２６に参照光３６及び物体光４３を同時に照射して作製される。未現像フィルム２６は、可撓性のフィルムベース２７と該フィルムベース２７の表面側に被覆されている感光性モノマー２８とを有している。感光性モノマー２８は、例えばデュポン製フォトポリマー０ｍｎｉｄｅｘを使用するが、銀塩乳剤等の他のフォトポリマーも使用することもできる。感光性モノマー２８は、青、緑及び赤のそれぞれの波長に感度を持つフォトポリマー（感光材）が用いられる。
【００２６】
ホログラム作製装置２５では、１つの未現像フィルム２６に対して多重露光により複数の再生像を記録する。このホログラム作製装置２５では、未現像フィルム２６に対して、青、緑及び赤の色別で３回、また、参照光３６の方向別に３回、多重露光することにより、未現像フィルム２６に計９つのタッチ操作用再生像が記録される。
【００２７】
文字盤４６は、未現像フィルム２６に記録しようとする文字列の部分が光に対する透過膜４７となっており、透過膜４７以外の部分は光を通さない非透過膜となっている。文字盤４６は、未現像フィルム２６に正対して未現像フィルム２６から距離ｄ（例えば１ｃｍ）の位置に配置される。なお、文字盤４６を未現像フィルム２６に対して正対させたのは、ユーザがドラム式洗濯機１を操作する際に、ユーザの目が貼着体１１に正対する方向にあると想定したためである。
【００２８】
ホログラム作製装置２５は、レーザ光源３０、ハーフミラー３１、ミラー３２、凸レンズ３３、ピンホール板３４、ミラー３９、凸レンズ４０及びピンホール板４１を備える。レーザ光源３０は、赤を発光させるときはクリプトンレーザに付け替えられ、緑及び青を発光させるときはアルゴンレーザに付け替えられる。レーザ光源３０から出射されたレーザ光は、レーザ光源３０からのレーザ光の光軸に対して４５°で傾斜しているハーフミラー３１において直進するものと向きを９０°変更されて反射するものとに２分される。
【００２９】
ハーフミラー３１を直進したレーザ光は、ミラー３２において向きを９０°変えられて反射し、凸レンズ３３に向かう。レーザ光は、凸レンズ３３において発散されてから、ピンホール板３４のピンホール３５を通過して、絞り込まれる。ピンホール３５を通過したレーザ光は、ほぼ感光性モノマー２８の全面の広さに広がった参照光３６になって、感光性モノマー２８の全面に照射される。ピンホール３５を通過したレーザ光の光軸は、未現像フィルム２６の中心点を通りかつ未現像フィルム２６に対して傾斜角θに設定されている。傾斜角θは、図２の各３色ＬＥＤ１２ａ，１２ｂ，１２ｃからの出射光がホログラムフィルム１６の面に対してなす角度に一致させている。
【００３０】
一方、ハーフミラー３１において反射した方のレーザ光は、ミラー３９において向きを９０°変えられて反射し、凸レンズ４０に向かう。レーザ光は、凸レンズ４０において発散されてから、ピンホール板４１のピンホール４２を通過し、絞り込まれる。ピンホール４２を通過したレーザ光は、ほぼ文字盤４６の広さに発散した物体光４３となって、文字盤４６の全面に照射され、透過膜４７に照射されたもののみが文字盤４６を通過する。透過膜４７を通過したレーザ光は、感光性モノマー２８の方へ感光性モノマー２８の面に対して直角に進んで、参照光３６と相互に干渉する。
【００３１】
参照光３６と物体光４３との相互干渉により干渉縞が生成され、感光性モノマー２８はその干渉縞により露光する。該干渉縞には文字盤４６の文字列情報と共に未現像フィルム２６−文字盤４６間の距離ｄの情報も盛り込まれている。この結果、未現像フィルム２６には、文字盤４６の透過膜４７に対応する文字列の再生像が距離ｄの情報と共に記録される。未現像フィルム２６の具体的な作製仕様例としては、参照光３６と物体光４３との光強度比は、２：１から１０：１までの範囲内が望ましく、参照光３６と物体光４３の光強度の和は１ｍＪ／ｃｍ2、１つの再生像を作製する際の照射時間は３０秒である。
【００３２】
未現像フィルム２６への記録情報に距離ｄの情報が盛り込まれることにより、記録情報の再生時には、再生像の文字列は、未現像フィルム２６から距離ｄ、浮き上がって再生される。このことは、未現像フィルム２６を貼着体１１のホログラムフィルム１６（図３及び図４）として使用して、ホログラムフィルム１６が３色ＬＥＤ１２ａ，１２ｂ，１２ｃから対応の再生参照光を照射されたときに、ホログラムフィルム１６に記録されている文字列が曲面隔壁４から浮き上がって再生されることを意味する。このような文字列の浮き上がりはユーザへの文字列の表示の見栄えを良くする。感光性モノマー２８としてのデュポン製フォトポリマー０ｍｎｉｄｅｘは１２０°Ｃにて２時間程度熱処理することにより高回折効率化できる。
【００３３】
未現像フィルム２６は、参照光３６の入射角をθに維持しつつ、参照光３６の相対入射方向を未現像フィルム２６の中心点の法線の回りに回転角度を０°、９０°及び１８０°の３つに切替えられるようになっている。このため、未現像フィルム２６がセットされるセット台（図示せず）は、未現像フィルム２６の中心点の法線の回りの回転角度を調整自在になっている。なお、０°、９０°及び１８０°は図１における貼着体１１に対する３色ＬＥＤ１２ａ，１２ｂ，１２ｃの回転角度位置に一致している。
【００３４】
図８はホログラム作製装置２５において使用される計９つの文字盤４６のうちの３つの文字盤５０，５１，５２を例示している。文字盤５０，５１，５２の各文字列はそれぞれ“コース”、“スタート”及び“一時停止”となっている。文字盤５０，５１，５２では、文字の部分が透過膜４７（図７）となっている。文字盤５０，５１，５２は、この実施形態では、ホログラム作製装置２５におけるセット台の回転角を９０°に設定して、それぞれ青、緑及び赤の参照光を使って、作製されたものとなっている。
【００３５】
図９は図８の各文字盤４６を使って露光した作製した未現像フィルム２６を薬品処理により現像した後のフィルムから再生される再生像５４，５５，５６を示している。再生像５４，５５，５６は、貼着体１１が３色ＬＥＤ１２ｂからの青、緑及び赤の再生像をそれぞれ照射されたときに、それぞれ青、緑及び赤で再生される。
【００３６】
図１０は光源制御部１３が実施するタッチ操作用再生像制御フローチャートである。なお、図１０の各ＳＴＥＰの主体はすべて光源制御部１３である。また、洗濯機制御部２３（図６）は、光源制御部１３と連携して、ドラム式洗濯機１の本体の制御（例：ドラムの回転及び停止、給排水弁の開閉並びに衣類乾燥用ヒータの作動等）を実施することになっており、ＳＴＥＰ７，１０における光源制御部１３の指示は洗濯機制御部２３に送られる。
【００３７】
図１０のフローチャートには、ＳＴＥＰとして図示されていないが、光源制御部１３は、洗濯機制御部２３から、洗濯機制御部２３によるドラム式洗濯機１の作動シーケンスの進行情報を適宜受信する。そして、光源制御部１３は、所定の再生像の表示や所定の表示切替を洗濯機制御部２３からの受信情報に基づいて実施する。
【００３８】
再生像５４，５５，５６の文字列（ＳＴＥＰ２，５，８）は３色ＬＥＤ１２ｂから貼着体１１へのそれぞれ青、緑及び赤の再生参照光により再生される。また、“洗濯”、“洗濯〜すすぎ”及び“洗濯〜乾燥”の文字列（ＳＴＥＰ２１，２４，２７）は３色ＬＥＤ１２ａから貼着体１１へのそれぞれ青、緑及び赤の再生参照光により再生されるものとする。ドラム式洗濯機１においてユーザが選択する選択コースは、例えば洗濯（洗濯のみ）、洗濯〜すすぎ（洗濯とすすぎ）、及び洗濯〜乾燥（洗濯、すすぎ及び乾燥）を含む。
【００３９】
ＳＴＥＰ１で、ドラム式洗濯機１の電源がＯＮに切り替わったか否かを判定し、ＯＮに切替わりしだい、ＳＴＥＰ２へ進む。ユーザがドラム式洗濯機１の電源スイッチをオンに切替えるのに伴い、ドラム式洗濯機１の電源はＯＮに切り替わる。
【００４０】
ＳＴＥＰ２では、光源制御部１３は、３色ＬＥＤ１２ｂを青で発光させることにより、貼着体１１に“コース”の再生像５４を青で表示する。
【００４１】
ＳＴＥＰ３では、ユーザによるシート状タッチパネル１７へのタッチの有無を判定し、タッチがありしだい、ＳＴＥＰ４へ進む。ＳＴＥＰ４では、タッチ数を調べ、タッチ数が所定時間内に１回であれば、ＳＴＥＰ５へ進み、タッチ数が所定時間内に２回以上であれば、ＳＴＥＰ２１へ進む。
【００４２】
ＳＴＥＰ５では、光源制御部１３は、３色ＬＥＤ１２ｂを緑で発光させることにより、貼着体１１に“スタート”の再生像５５を緑で表示する。
【００４３】
ＳＴＥＰ６では、ユーザによるシート状タッチパネル１７へのタッチの有無を判定し、タッチがありしだい、ＳＴＥＰ７へ進む。ＳＴＥＰ７では、選択コースの開始を洗濯機制御部２３に指示する。選択コースのデフォルトは洗濯である。したがって、ＳＴＥＰ４のタッチ数１回の判定からＳＴＥＰ７へ進んで来た場合には、洗濯機制御部２３はドラム式洗濯機１において洗濯を開始する。
【００４４】
ＳＴＥＰ８では、光源制御部１３は、３色ＬＥＤ１２ｂを赤で発光させることにより、貼着体１１に“一時停止”の再生像５６を赤で表示する。
【００４５】
ＳＴＥＰ９では、タッチが所定時間内に２回以上あるかを調べ、ありしだい、ＳＴＥＰ１０へ進み、ＳＴＥＰ１０では、洗濯機制御部２３に選択コースの一時停止を指示する。洗濯機制御部２３は、この指示を受けて、ドラム式洗濯機１における現在の選択コースの進行を一時停止する。
【００４６】
ＳＴＥＰ１１では、光源制御部１３は、前述のＳＴＥＰ５と同様に、３色ＬＥＤ１２ｂを緑で発光させることにより、貼着体１１に“スタート”の再生像５５を緑で表示する。図１０では、ＳＴＥＰ１１より後の処理が図示を省略されているが、光源制御部１３は、ＳＴＥＰ１１より後も同様に、単独で又は洗濯機制御部２３からの指示や受信情報に基づいて対応の再生像の表示や表示切替を実施する。
【００４７】
ＳＴＥＰ２１では、光源制御部１３は、３色ＬＥＤ１２ａを青で発光させることにより、貼着体１１に最初のコース候補としての“洗濯”の再生像を表示する。ＳＴＥＰ２２では、ユーザによるシート状タッチパネル１７へのタッチの有無を判定し、タッチがありしだい、ＳＴＥＰ２３へ進む。ＳＴＥＰ２３では、タッチ数を調べ、タッチ数が所定時間内に１回であれば、ユーザは別のコースを希望しているとものとして、ＳＴＥＰ２４へ進み、タッチ数が所定時間内に２回以上であれば、ユーザは現在表示中の“洗濯”を今回のコースとして洗濯したものとして、ＳＴＥＰ７へ進む。
【００４８】
ＳＴＥＰ２４では、光源制御部１３は、３色ＬＥＤ１２ａを緑で発光させることにより、貼着体１１に２番目のコース候補としての“洗濯〜すすぎ”の再生像を緑で表示する。ＳＴＥＰ２５では、ユーザによるシート状タッチパネル１７へのタッチの有無を判定し、タッチがありしだい、ＳＴＥＰ２６へ進む。ＳＴＥＰ２６では、タッチ数を調べ、タッチ数が所定時間内に１回であれば、ユーザは別のコースを希望しているとものとして、ＳＴＥＰ２７へ進み、タッチ数が所定時間内に２回以上であれば、ユーザは現在表示中の"洗濯〜すすぎ"を今回のコースとして選択したものとして、ＳＴＥＰ７へ進む。
【００４９】
ＳＴＥＰ２７では、光源制御部１３は、３色ＬＥＤ１２ａを赤で発光させることにより、貼着体１１に３番目のコース候補としての“洗濯〜乾燥”の再生像を表示する。図１０では、ＳＴＥＰ２７より後の処理が図示を省略されているが、光源制御部１３は、ＳＴＥＰ２７より後も同様に、単独で又は洗濯機制御部２３からの指示や受信情報に基づいて対応の再生像の表示や表示切替を実施する。
【００５０】
本発明は、以上の実施形態に限定されることなく、その要旨の範囲内で種々の変形例で実施することができる。
【００５１】
実施形態では、本発明のタッチパネル式操作装置をドラム式洗濯機１に適用しているが、本発明のタッチパネル式操作装置は、その他として自動車のインパネに配備することもできる。その場合、ホログラムフィルム及びタッチパネルはインパネの保護カバー部分（透明プラスチック）に貼着される。
【００５２】
実施形態では、３色ＬＥＤ１２ａ，１２ｂ，１２ｃ及びレーザ光源３０の波長として青、緑及び赤の波長を採用しているが、これら以外の波長を利用することができる。その場合、未現像フィルム２６の感光性モノマー２８も、採用した波長に感光するフォトポリマーを使用する。また、未現像フィルム２６の感光性モノマー２８が感光する色は３つに限定されない。２つや４つ以上であってもよいとする。
【００５３】
実施形態では、未現像フィルム２６はホログラム作製装置２５において文字盤４６を用いて作製しているが、計算機ホログラムを使って文字情報を含んだ現像フィルムを未現像フィルム２６から作製することもできる。
【００５４】
実施形態では、再生像５４，５５，５６は、文字列のタッチ操作部材の再生像となっているが、文字列以外のアイコンや記号のタッチ操作部材の再生像とすることもできる。
【００５５】
ホログラム作製装置２５における文字盤４６の透過膜４７は散乱性を有する膜で形成されているが、再生時の再生像の散乱度は大きいほど使用者にとって刺激の少ない再生像となり、散乱度が小さいほどぎらぎらとした刺激の強い再生像となる。したがって「コース選択」等緊急度が低い場合は散乱度の大きな膜（Ｈａｚｅ値が大きな膜：大まかに６０以上）を用い、「一時停止」など緊急度が比較的高い場合には散乱度の比較的小さな膜（Ｈａｚｅ値が小さい膜：大まかに３０以上かつ６０以下）を用いてもよい。
【００５６】
実施形態のドラム式洗濯機１では、３色ＬＥＤ１２ａ，１２ｂ，１２ｃは、開閉扉３のシール枠部５の内面側に取り付けられているが、３色ＬＥＤ１２ａ，１２ｂ，１２ｃからの出射光が貼着体１１に到達するという条件が満たされるのであれば、シール枠部５の外面側としたり、筺体２のパネルの内面側又は外面側に取付けることができる。
【００５７】
実施形態の貼着体２０（図５）では、単一のシート状タッチパネル１７に対してホログラムフィルム２１は複数となっているが、逆に、単一のホログラムフィルム１６（ただし、記録再生像は複数）に対してシート状タッチパネルを複数とすることも可能である。しかし、その場合にも、各シート状タッチパネルは、どの部位をタッチされたかに関係なく、タッチの有無のみを検出するものとする。
【００５８】
実施形態としての図３の貼着体１１では、ホログラムフィルム１６とシート状タッチパネル１７とが、積層されて、曲面隔壁４の外面側に配設されているが、変形例として、図１１に示すように、ホログラムフィルム１６とシート状タッチパネル１７とを、相互に重ね合わさるようにしつつ、それぞれ曲面隔壁４の内面側及び外面側に貼着するようにすることもできる。なお、その場合、曲面隔壁４の厚さが前述の距離ｄ（図７）より大であれは、再生像５４，５５，５６は、シート状タッチパネル１７に対して沈み込んだ位置に再生される。また、曲面隔壁４の厚さが前述の距離ｄと等しければ、再生像５４，５５，５６は、シート状タッチパネル１７と同一面上に再生される。
【符号の説明】
【００５９】
１・・・ドラム式洗濯機（機器）、１０・・・タッチパネル式操作装置、１１・・・貼着体、１２ａ，１２ｂ，１２ｃ・・・３色ＬＥＤ、１３・・・光源制御部、１６・・・ホログラムフィルム、１７・・・シート状タッチパネル、２０・・・貼着体、２１・・・ホログラムフィルム。
【図１】
2013186737.tif 000003
【図２】
2013186737.tif 000004
【図３】
2013186737.tif 000005
【図４】
2013186737.tif 000006
【図５】
2013186737.tif 000007
【図６】
2013186737.tif 000008
【図７】
2013186737.tif 000009
【図８】
2013186737.tif 000010
【図９】
2013186737.tif 000011
【図１０】
2013186737.tif 000012
【図１１】
2013186737.tif 000013